(57)【要約】【課題】様々な太さの柄の傘に対応することが可能な傘ホルダーを提供する。【解決手段】適宜箇所に接した状態に維持されるようにした本体１と、２つの腕２１，２２の間に傘の柄４を挟持するようにした挟持具２からなり、挟持具２を分離可能とし、複数のサイズの挟持具２のうちから傘の柄の太さに適合する挟持具２を選択して装着できるようにしている。本体１に回動可能に連結された連結部３を設け、この連結部３に挟持具２を着脱するようにしており、連結部３を立ち上げた状態で傘の柄を挟持できるようにし、さらに、連結部３を立ち上げた状態から元の状態に復帰させる付勢手段を設けたり、傘の柄４を通す輪状部材を設けたものとすることができる。【選択図】図１
2012120785.tif 000002
【特許請求の範囲】
【請求項１】
適宜箇所に接した状態に維持されるようにした本体（１）と、２つの腕（２１）（２２）の間に傘の柄（４）を挟持するようにした挟持具（２）からなり、挟持具（２）を分離可能とし、複数のサイズの挟持具（２）のうちから傘の柄（４）の太さに適合する挟持具（２）を選択して装着できるようにしていることを特徴とする傘ホルダー。
【請求項２】
本体（１）に回動可能に連結された連結部（３）を設け、この連結部（３）に挟持具（２）を着脱するようにしており、連結部（３）を立ち上げた状態で傘の柄（４）を挟持できるようにし、さらに、連結部（３）を立ち上げた状態から元の状態に復帰させる付勢手段（１６）を設けている請求項１記載の傘ホルダー。
【請求項３】
挟持具（２）から傘が外れたときに紛失を防止するための、傘の柄（４）を通す輪状部材（３１４）を設けた請求項１又は２記載の傘ホルダー。
【発明の詳細な説明】
【技術分野】
【０００１】
この発明は、傘を適宜の場所に保持するための傘ホルダーに関するものである。
【背景技術】
【０００２】
従来の傘ホルダーとしては、特許文献１に記載のものがある。この従来の傘ホルダーは、傘の一部を保持する保持筒と、該保持筒が設けられている基体とを備え、前記基体は該基体を平坦面に固定するための吸盤を備えたものであり、吸盤により自動車ドアの窓等に固定できるようになっている。
【０００３】
しかし、保持筒は、基体に接着剤で固定されており、それに対応する太さの傘しか保持することができないため、様々な太さの柄の傘に対応することは不可能であった。
【先行技術文献】
【特許文献】
【０００４】
【特許文献１】特開２００８−５５９５５号公報
【発明の概要】
【発明が解決しようとする課題】
【０００５】
そこで、この発明は、様々な太さの柄の傘に対応することが可能な傘ホルダーを提供することを課題とする。
【課題を解決するための手段】
【０００６】
前記課題を解決するため、この発明は次のような技術的手段を講じている。
【０００７】
この発明の傘ホルダーは、適宜箇所に接した状態に維持されるようにした本体１と、２つの腕２１，２２の間に傘の柄４を挟持するようにした挟持具２からなり、挟持具２を分離可能とし、複数のサイズの挟持具２のうちから傘の柄４の太さに適合する挟持具２を選択して装着できるようにしている。
【０００８】
本体１に回動可能に連結された連結部３を設け、この連結部３に挟持具２を着脱するようにしており、連結部３を立ち上げた状態で傘の柄４を挟持できるようにし、さらに、連結部３を立ち上げた状態から元の状態に復帰させる付勢手段１６を設けたものとすることができる。
【０００９】
さらに、挟持具２から傘が外れたときに紛失を防止するための、傘の柄４を通す輪状部材３１４を設けたものとすることができる。
【発明の効果】
【００１０】
この発明の傘ホルダーは、上述のような構成を有しており、挟持具２を選択することにより、様々な太さの柄の傘に対応することが可能である。
【図面の簡単な説明】
【００１１】
【図１】この発明の実施形態の傘ホルダーの斜視図である。
【図２】この発明の実施形態の傘ホルダーの正面図である。
【図３】この発明の実施形態の傘ホルダーの背面図である。
【図４】この発明の実施形態の傘ホルダーの左側面図である。
【図５】この発明の実施形態の傘ホルダーの断面図である。
【図６】連結部の斜視図である。
【図７】挟持具の斜視図である。
【図８】複数のサイズの挟持具の平面図である。
【図９】使用状態の説明図である。
【図１０】使用状態の説明図である（傘を持ち上げた状態）。
【発明を実施するための形態】
【００１２】
以下、この発明の好適な実施形態を、図面を参照して説明する。
【００１３】
この傘ホルダーは、適宜箇所に接した状態に維持されるようにした本体１と、２つの腕２１，２２の間に傘の柄４を挟持するようにした挟持具２からなり、挟持具２を分離可能とし、複数のサイズの挟持具２のうちから傘の柄４の太さに適合する挟持具２を選択して装着できるようにしたものである。
【００１４】
本体１は、合成樹脂製で、略長方形の板状であり、前面側は前方に膨らんだ形状で、図５に示したように、透明な２つのカバー１０，１１からなる二重構造で、内部に種々の文字、図柄、人物、風景等を表示した台紙１２を挿入し、前方から当該表示が透過して見えるようにしている。台紙１２は、例えば、企業のロゴマークや、商品のマーク、写真等を印刷したものとすることにより、この傘ホルダーを企業のＰＲ等のためのギフト用商品として実施することができる。
【００１５】
本体１の後面側は、平坦な面に滑り止め１３を設けたものとしている。滑り止め１３は、シート状の摩擦抵抗の大きいものとすることができる。使用時において、本体１は、滑り止め１３により、後面側を水平なテーブルの面等に接した状態に維持させることができる。
【００１６】
本体１の一端側には、回動可能に連結された連結部３が設けられている。この連結部３は、合成樹脂製で、内端側（本体１側）に設けられた突出部３０を、本体１の一端側の左右両側から延びる軸受部１４の間に挿入し、前記突出部３０と両軸受部１４に軸１５を貫通させることにより本体１に取り付けられている。また、軸１５には、付勢手段１６としてバネが取り付けられており、連結部３を立ち上げた状態（連結部３が本体１の前面側に回動した状態）にすると、元の状態に復帰しようとするように付勢している。
【００１７】
図６に示したように、連結部３の外端側には、挟持具２の着脱部３１が設けられている。着脱部３１は、挟持具２の基部２０との嵌め合い構造とした左右片３１０，３１１と、装着時の挟持具２の基部２０の上から前方に突出する突起３１２ａ、及び挟持具２の基部２０に設けられた凸部２０ａが嵌合する凹部３１２ｂを設けた抜け止め片３１２から構成されている。
【００１８】
また、連結部３には、右側に突出する孔の開いた通し部３１３が設けられており、この通し部３１３にチェーン等の輪状部材３１４を通すようにしている。
【００１９】
挟持具２は、合成樹脂製で、連結部３の左右片３１０，３１１との嵌め合い構造とした基部２０と、基部２０の左右から本体１の後面側に延びる湾曲板状の２つの腕２１，２２からなる。２つの腕２１，２２は、本体１の後面側に開口した短い筒状の構成となっており、前記開口側から傘の柄４を押し込むと、傘の柄４が挟持されるようにしている。
【００２０】
図７に示したように、挟持具２の基部２０には後面側に突出する凸部２０ａが設けられており、装着時にこの凸部２０ａが前記連結部３の抜け止め片３１２の凹部３１２ｂに嵌合するとともに、その上方の抜け止め片３１２の突起３１２ａにより、挟持具２が連結部３から意図せず抜けることが防止されるようになっている。
【００２１】
抜け止め片３１２を指で後方に反らすと、前記凸部２０ａと凹部３１２ｂとの嵌合状態が解除されるとともに、抜け止め片３１２の突起３１２ａが挟持具２の基部２０から離れるので、挟持具２を連結部３から外すことが可能になる。
【００２２】
連結部３は、図８の（ａ）〜（ｄ）に示したように、腕２１，２２の内側のスペースの径が異なる複数のサイズのものを作製し、その中から、この傘ホルダーを取り付ける傘の柄４の太さに適合する挟持具２を選択して装着することができる。
【００２３】
次に、この傘ホルダーの使用方法について説明する。まず、この傘ホルダーを取り付ける傘の柄４の太さに対応する挟持具２を選択し、連結部３に装着する。そして、輪状部材３１４に傘の柄４のハンドル部（Ｊ字状の部分）をその先端側から通しておき、前記ハンドル部を挟持具２の開口側から押し込む。これにより、傘ホルダーは傘の柄４に装着された状態になるが、付勢手段１６により、本体１が傘の柄４に沿った状態となる。
【００２４】
次に、挟持具２を立ち上げた状態（連結部３が本体１の前面側に回動した状態）にし、本体１の後面側を適宜箇所に接した状態にする。例えば、図９に示したように、本体１の後面側をテーブル５の上面の端部に接した状態にすると、本体１はそのままの状態で維持され、傘はテーブル５の端部の外側において、挟持具２に保持された状態となる。連結部３は、傘の荷重により、本体１に対して立ち上げた状態が維持される。
【００２５】
図１０に示したように、傘を持ち上げると、付勢手段１６により、再び本体１が傘の柄４に沿った状態に復帰するので、傘ホルダーを取り外さずに、そのまま傘を持ち歩いたり使用したりしても邪魔にならない。傘ホルダーを取り外すときは、傘の柄４のハンドル部を挟持具２の開口側から引き抜けばよい。
【００２６】
傘ホルダーを取り外すときに挟持具２が弾発して傘ホルダーが飛んだり、あるいは傘ホルダーの装着中に何かの衝撃で挟持具２が外れたりすると、傘ホルダーを紛失する恐れがあるが、前記輪状部材３１４に傘の柄４を通しておけば、そのような事態を防止することができる。
【００２７】
以上がこの発明の好適な実施形態であるが、この発明は上述の実施形態の構成に限定されるものではなく、形状、寸法、材質等を適宜変更して実施することができる。
【符号の説明】
【００２８】
１  本体
１６  付勢手段
２  挟持具
２１，２２  腕
３  連結部
３１４  輪状部材
４  柄
【図１】
2012120785.tif 000003
【図２】
2012120785.tif 000004
【図３】
2012120785.tif 000005
【図４】
2012120785.tif 000006
【図５】
2012120785.tif 000007
【図６】
2012120785.tif 000008
【図７】
2012120785.tif 000009
【図８】
2012120785.tif 000010
【図９】
2012120785.tif 000011
【図１０】
2012120785.tif 000012